(57)【要約】【課題】下側角部の擦り減りを防止することができる靴のかかとの下についている靴のヒールに用いるのに適した靴ヒールを提供することにある。【解決手段】第１ヒール部材１１は、硬質性のある湾曲形の角柱状に形成し、第２ヒール部材１２は、半円形の台状に形成し、凹部１３は、第１ヒール部材１１に形設し、弾力性のある凸部１４は、第２ヒール部材１２に形設し、係合凹片１５は、凹部１３に形設し、係合突出片１６は、凸部１４に形設し、第１ヒール部材１１と第２ヒール部材１２を接合したことを特徴とする。【選択図】図１
2007021151.tif 000002
【特許請求の範囲】
【請求項１】
靴のヒールにおいて、硬質性のある湾曲形の角柱状に形成した第１ヒール部材と、半円形の台状に形成した第２ヒール部材と、前記第１ヒール部材に形設した凹部と、前記第２ヒール部材に形設した弾力性のある凸部と、前記凹部に形設した係合凹片と、前記凸部に形設した係合突出片とからなり、前記第１ヒール部材と前記第２ヒール部材を接合したことを特徴とする靴ヒール。
【発明の詳細な説明】
【技術分野】
【０００１】本発明は、靴ヒール、特に靴のかかとの下についている靴のヒールに用いるのに適した靴ヒールに関するものである。
【背景技術】
【０００２】従来から、靴のかかとの下についている台状のヒールがある。擦り減りや損傷することがあるため交換できるヒールがある。ヒール保護部材をつけているヒールがある。【０００３】靴のヒールは擦り減る。歩き方によって、ヒール保護部材をつけても一部分だけが擦り減ることがある。ヒールだけが損傷して、ヒールだけが損傷したため、靴本体とのバランスがなくなる。靴全体の格好もよくない。歩き方にも影響すると思われる。健康にもよくないと思われる。ヒールを交換するのも不便なものである。【０００４】ヒールベースに、下面が直線状に移動する接地面を有するエンドレス体を設け、前記エンドレス体が回動してその接地面が移動しうるようにした靴のヒールを均一に磨耗させることができることを特徴とする均一磨耗靴が開示されている。（例えば、特許文献１参照。）取り替え片を設け、ヒール本体の段差部に装着して、ヒール本体に対して着脱自在にネジ止めしてなる靴底の構造が開示されている。（例えば、特許文献２参照。）。
【特許文献１】特公昭６１−０６１８０２号公報
【特許文献２】実用出願平０６−０１６１３２号公報
【発明の開示】
【発明が解決しようとする課題】
【０００５】しかしながら、上記の従来の靴底の構造では、保護部材をヒール本体の下部に取付けていたため、下側角部の擦り減りをなくすことは行っていなかった。本発明は、このような点に鑑みなされたものであり、その目的とするところは、硬質性の材料を利用して下側角部の擦り減りを防止することができる靴のかかとの下についている靴のヒールに用いるのに適した靴ヒールを提供することにある。
【課題を解決するための手段】
【０００６】請求項１記載の発明によれば、湾曲形の角柱状に形成した第１ヒール部材と、半円形の台状に形成した第２ヒール部材と、第１ヒール部材に形設した凹部と、第２ヒール部材に形設した凸部と、凹部に形設した係合凹片と、凸部に形設した係合突出片とからなり、第１ヒール部材と第２ヒール部材を接合したことを特徴とする。【０００７】第１ヒール部材は、硬質性のある湾曲形の角柱状に形成する。第２ヒール部材と接合され、第２ヒール部材と接合することができる。【０００８】第２ヒール部材は、半円形の台状に形成する。第１ヒール部材と接合され、第１ヒール部材と接合することができる。【０００９】凹部は、第１ヒール部材に形設する。凸部と嵌合され、凸部と嵌合することができる。【００１０】弾力性のある凸部は、第２ヒール部材に形設する。凹部と嵌合され、凹部と嵌合することができる【００１１】係合凹片は、凹部に形設する。係合突出片と係合され、係合突出片と係合することができる。【００１２】係合突出片は、凸部に形設する。係合凹片と係合され、係合凹片と係合することができる。【００１３】第１ヒール部材と第２ヒール部材を接合する。靴のかかとの下に固定され、靴のかかとの下に固定することができる。
【発明の効果】
【００１４】第１ヒール部材は、硬質性のある湾曲形の角柱状に形成する。第２ヒール部材と接合され、第２ヒール部材と接合することができるので、第２ヒール部材と接合して、靴ヒールの下がわ角部の擦り減りを防止することができる。【００１５】第２ヒール部材は、半円形の台状に形成する。第１ヒール部材と接合され、第１ヒール部材と接合することができるので、第１ヒール部材と接合して、靴のかかととの下に固定することができる。【００１６】凹部は、第１ヒール部材に形設する。凸部と嵌合され、凸部と嵌合することができるので、凸部と嵌合して、第１ヒール部材と第２ヒール部材を接合することができる。【００１７】弾力性のある凸部は、第２ヒール部材に形設する。凹部と嵌合され、凹部と嵌合することができるので、凹部と嵌合して、第２ヒール部材と第１ヒール部材を接合することができる。【００１８】係合凹片は、凹部に形設する。係合突出片と係合され、係合突出片と係合することができるので、係合突出片と係合して、凹部と凸部を強固に嵌合することができる。【００１９】係合突出片は、凸部に形設する。係合凹片と係合され、係合凹片と係合することができるので、係合凹片と係合して、凸部と凹部を強固に嵌合することができる。【００２０】第１ヒール部材と第２ヒール部材を接合する。靴のかかとの下に固定され、靴のかかとの下に固定することができるので、靴のかかとの下に固定して、靴のヒールとすることができる。【００２１】以上のように、硬質性の材料を利用して下側角部の擦り減りを防止することができる靴のかかとの下についている靴のヒールに用いるのに適した靴ヒールにすることができる。
【発明を実施するための最良の形態】
【００２２】本発明の実施例を図示例と共に説明する。図１は、靴ヒール本体１０をあらわしている。凹部１３と凸部１４が嵌合し、第１ヒール部材１１と第２ヒール部材１２が接合している。【００２３】図２は、第１ヒール部材１１をあらわしている。第１ヒール部材１１は、硬質性があり、金属材料であり、チタン合金またはアルミニュウムであり、湾曲形の角柱状に形成している。凹部１３は、硬質性があり、半円弧状であり、第１ヒール部材１１の中に形設している。【００２４】図３は、第２ヒール部材１２をあらわしている。第２ヒール部材１２は、合成樹脂製であり、半円形の台状に形成している。（全体図示せず。）凸部１４は、弾力性があり、合成樹脂製であり、半円弧状であり、第２ヒール部材１２に形設している。【００２５】図４は、靴のかかとの下に固定した状態を示す靴ヒール本体１０をあらわしている。第２ヒール部材は、第１ヒール部材１１を仲介し、靴のかかとの下に固定している。靴ヒール本体１０の一側端縁に配置している。靴ヒール本体１０の下側角部の擦り減りを防止することができる。第１ヒール部材１１をチタン合金やアルミニュウムの材料にすれば、合成樹脂製の第２ヒール１２部材は、第１ヒール部材１１を仲介し、靴のヒールとして、靴のかかとの下に固定できるので、エレガントなヒールにすることができると思われる。履き心地もよくなると思われる。【００２６】本発明の実施例の作用を図示例と共に説明する。図５は、第２ヒール部材１２を第１ヒール部材１１に圧入した状態を示す断面の一部をあらわしている。第２ヒール部材１２の弾力性のある係合突出片１６を形設した嵌合部である凸部１４を硬質性のある第１ヒール部材１１の硬質性のある係合凹片１５を形設した嵌合溝である凹部１３に圧入する。弾力性のある係合突出片１６を形設した凸部１４は、変形しながら硬質性のある係合凹片１５を形設した凹部１３を通過する。【００２７】図６は、第１ヒール部材１１と第２ヒール部材１２を接合した状態を示す断面の一部をあらわしている。弾力性のある係合突出片１６を形設した嵌合部である凸部１４の先端部は、硬質性のある嵌合溝である凹部１３を変形しながら通過し、凹部１３の係合凹片１５を通過した後、原形になる。原形になる凸部１４と凹部１３は、嵌合する。原形になる係合突出片１６と係合凹片１５は係合する。原形になる凸部１４と凹部１３は、強固に嵌合する。第１ヒール部材１１と第２ヒール部材１２は、強固に接合する。
【図面の簡単な説明】
【００２８】
【図１】  本発明に係る靴ヒール本体１０の斜視図である。
【図２】  本発明に係る第１ヒール部材１１の斜視図である。
【図３】  本発明に係る第２ヒール部材１２の要部の斜視図である。
【図４】  本発明に係る靴ヒール本体１０の使用状態を示す概観図である。
【図５】  本発明に係る第１ヒール部材１１と第２ヒール部材１２の作用を示す要部の断面図である。
【図６】  本発明に係る第１ヒール部材１１と第２ヒール部材１２の接合状態を示す要部の断面図である。
【符合の説明】
【００２９】１０：靴ヒール本体
１１：第１ヒール部材
１２：第２ヒール部材
１３：凹部
１４：凸部
１５：係合凹片
１６：係合突出片
【図１】
2007021151.tif 000003
【図２】
2007021151.tif 000004
【図３】
2007021151.tif 000005
【図４】
2007021151.tif 000006
【図５】
2007021151.tif 000007
【図６】
2007021151.tif 000008